(57)【要約】【課題】発券部以外が故障しても、全体をダウンさせずに可能な限り発券できるようにする。【解決手段】口座釦で選択された駅までの乗車料金に見合う金額の金銭が自動券売機の本体に投入されたことを条件にその選択された駅まで乗車可能な乗車券を発券する自動券売機であって、前記自動券売機の本体の故障を検出する故障検出手段と、検出された故障が発券部以外の故障で、所定の口座釦が押下されたときに、前記自動券売機の本体の設置駅から入場可能で、着駅で精算原券とすることのできる着駅精算券を発行する着駅精算券発行手段とを有する。【選択図】      図３
2004199239.tif 000002
【特許請求の範囲】
【請求項１】
口座釦で選択された駅までの乗車料金に見合う金額の金銭が自動券売機の本体に投入されたことを条件にその選択された駅まで乗車可能な乗車券を発券する自動券売機であって、
前記自動券売機の本体の故障を検出する故障検出手段と、
検出された故障が発券部以外の故障で、所定の口座釦が押下されたときに、前記自動券売機の本体の設置駅から入場可能で、着駅で精算原券とすることのできる着駅精算券を発行する着駅精算券発行手段と、
を有することを特徴とする自動券売機。
【請求項２】
口座釦で選択された駅までの乗車料金に見合う金額の金銭が自動券売機の本体に投入されたことを条件にその選択された駅まで乗車可能な乗車券を発券する自動券売機であって、
前記自動券売機の本体の故障を検出する故障検出手段と、
検出された故障が発券部以外の故障で、所定の着駅精算券釦が押下されたときに、前記自動券売機の本体の設置駅から入場可能で、着駅で精算原券とすることのできる着駅精算券を発行する着駅精算券発行手段と、
有することを特徴とする自動券売機。
【請求項３】
口座釦で選択された駅までの乗車料金に見合う金額の金銭が自動券売機の本体に投入されたことを条件にその選択された駅まで乗車可能な乗車券を発券する自動券売機であって、
前記自動券売機の本体の故障を検出する故障検出手段と、
検出された故障が硬貨処理部の故障のときに、硬貨以外の金銭で乗車券が購入できることを案内する案内手段と、
を有することを特徴とする自動券売機。
【請求項４】
口座釦で選択された駅までの乗車料金に見合う金額の金銭が自動券売機の本体に投入されたことを条件にその選択された駅まで乗車可能な乗車券を発券する自動券売機であって、
前記自動券売機の本体の故障を検出する故障検出手段と、
検出された故障が紙幣処理部の故障のときに、紙幣以外の金銭で乗車券が購入できることを案内する案内手段と、
を有することを特徴とする自動券売機。
【請求項５】
口座釦で選択された駅までの乗車料金に見合う金額の金銭が自動券売機の本体に投入されたことを条件にその選択された駅まで乗車可能な乗車券を発券する自動券売機であって、
前記自動券売機の本体の故障を検出する故障検出手段と、
検出された故障がカード処理部の故障のときに、カード以外の金銭で乗車券が購入できることを案内する案内手段と、
を有することを特徴とする自動券売機。
【請求項６】
口座釦で選択された駅までの乗車料金に見合う金額の金銭が自動券売機の本体に投入されたことを条件にその選択された駅まで乗車可能な乗車券を発券する自動券売機であって、
前記自動券売機の本体の故障を検出する故障検出手段と、
検出された故障が釣銭処理部の故障のときに、釣銭を伴わない金銭で乗車券が購入できることを案内する案内手段と、
を有することを特徴とする自動券売機。
【請求項７】
請求項３〜６のいずれかに記載の自動券売機において、口座釦又は着駅精算券釦が押下されたときに、その自動券売機の本体の設置駅から入場可能で着駅で精算原券とすることのできる着駅精算券を発行する着駅精算券発行手段を設けたことを特徴とする自動券売機。
【発明の詳細な説明】
【０００１】
【発明の属する技術分野】
本発明は自動券売機に係り、特に、無人コーナや無人駅に好適な自動券売機に関する。
【０００２】
【従来の技術】
従来、この種の自動券売機は、その自動券売機の本体に口座釦群等を表示するタッチパネル入力部、乗車券の購入代金を処理する硬貨処理部や紙幣処理部、乗車券を生成して発行する発券部等の各処理部が設けられていて、口座釦で選択された駅までの乗車料金（運賃）に見合う金額の金銭（プリペイドカード等のカード類も含む。）が自動券売機の本体に投入されると、その選択された口座釦に対応した乗車券が発行されるように構成されている（特許文献１参照。）。
【０００３】
【特許文献１】特開２００１−２９１１２３号公報（段落００１１及び図２）
【０００４】
【発明が解決しようとする課題】
しかしながら、上記従来の自動券売機は、発券部が正常であっても、例えば、硬貨処理部にジャムが発生したような場合、稼動停止になるように構成されている。このため、特に、その自動券売機が無人コーナや無人駅に設置されたときに、利用者に不便を与える結果となっていた。
【０００５】
そこで、本発明は、上記欠点を解決するためになされたものであって、その目的は、発券部の機能が正常であれば、また、利用者が自動券売機の本体で使用できない高額の紙幣しか持ち合わせていないような場合であっても、その自動券売機の本体から乗車券を発行でき、さらに、その自動券売機の本体の設置駅から入場（乗車）でき、降車駅（出場駅）で精算原券とすることのできる差駅精算券を発行することのできる自動券売機を提供することにある。
【０００６】
【課題を解決するための手段】
本発明に係る自動券売機は、上記目的を達成するために、請求項１に記載の発明は、口座釦で選択された駅までの乗車料金に見合う金額の金銭が自動券売機の本体に投入されたことを条件にその選択された駅まで乗車可能な乗車券を発券する自動券売機であって、前記自動券売機の本体の故障を検出する故障検出手段と、検出された故障が発券部以外の故障で、所定の口座釦が押下されたときに、前記自動券売機の本体の設置駅から入場可能で、着駅で精算原券とすることのできる着駅精算券を発行する着駅精算券発行手段と、を有することを特徴としている。
本発明の請求項２に記載の自動券売機は、口座釦で選択された駅までの乗車料金に見合う金額の金銭が自動券売機の本体に投入されたことを条件にその選択された駅まで乗車可能な乗車券を発券する自動券売機であって、前記自動券売機の本体の故障を検出する故障検出手段と、検出された故障が発券部以外の故障で、所定の着駅精算券釦が押下されたときに、前記自動券売機の本体の設置駅から入場可能で、着駅で精算原券とすることのできる着駅精算券を発行する着駅精算券発行手段と、有することを特徴としている。
本発明の請求項３に記載の自動券売機は、口座釦で選択された駅までの乗車料金に見合う金額の金銭が自動券売機の本体に投入されたことを条件にその選択された駅まで乗車可能な乗車券を発券する自動券売機であって、前記自動券売機の本体の故障を検出する故障検出手段と、検出された故障が硬貨処理部の故障のときに、硬貨以外の金銭で乗車券が購入できることを案内する案内手段と、を有することを特徴としている。
本発明の請求項４に記載の自動券売機は、口座釦で選択された駅までの乗車料金に見合う金額の金銭が自動券売機の本体に投入されたことを条件にその選択された駅まで乗車可能な乗車券を発券する自動券売機であって、前記自動券売機の本体の故障を検出する故障検出手段と、検出された故障が紙幣処理部の故障のときに、紙幣以外の金銭で乗車券が購入できることを案内する案内手段と、を有することを特徴としている。
本発明の請求項５に記載の自動券売機は、口座釦で選択された駅までの乗車料金に見合う金額の金銭が自動券売機の本体に投入されたことを条件にその選択された駅まで乗車可能な乗車券を発券する自動券売機であって、前記自動券売機の本体の故障を検出する故障検出手段と、検出された故障がカード処理部の故障のときに、カード以外の金銭で乗車券が購入できることを案内する案内手段と、を有することを特徴としている。
本発明の請求項６に記載の自動券売機は、口座釦で選択された駅までの乗車料金に見合う金額の金銭が自動券売機の本体に投入されたことを条件にその選択された駅まで乗車可能な乗車券を発券する自動券売機であって、前記自動券売機の本体の故障を検出する故障検出手段と、検出された故障が釣銭処理部の故障のときに、釣銭を伴わない金銭で乗車券が購入できることを案内する案内手段と、を有することを特徴としている。
本発明の請求項７に記載の自動券売機は、口座釦又は着駅精算券釦が押下されたときに、その自動券売機の本体の設置駅から入場可能で着駅で精算原券とすることのできる着駅精算券を発行する着駅精算券発行手段を設けたことを特徴としている。
【０００７】
【発明の実施の形態】
以下、本発明の実施の形態を図面に基づいて説明する。図１は、一実施の形態に係る自動券売機の正面図であって、その自動券売機の本体（以下、「券売機本体」という。）１の接客面２は、中央部が傾斜したスラント型を呈している。
【０００８】
接客面２の上部には、券売機本体１の稼動状態を示す案内部３が設けられ、その中央部のスラント部にはほぼ正方形の周知のタッチパネル式の表示画面４が設けられている。また、表示画面４の下方には、枚数設定釦や子供券指定等の選択釦群からなる選択釦部５が設けられている。この選択釦部５のうち、５ａは、券売機本体１の設置駅から入場（乗車）でき、かつ、着駅（出場駅）で精算原券とすることのできる着駅精算券の発行を希望するときに押下される着駅精算券釦である。この選択釦部５は、図示のようなハードスイッチではなく、表示画面４中に表示されたソフトスイッチとすることもできる。
【０００９】
接客面２の下部には、硬貨投入口６及び紙幣挿入口７から投入された金銭の金額、又はカード挿入口８から挿入されたプリペイドカードやストアードフェアカード（ＳＦカード）等のカードの残額を表示する金額表示部９、乗車券や着駅精算券の排出口１０、釣銭排出口１１、利用者へ音声により案内を行うとき、又はマイクロホン１２を介して係員と応答するときのスピーカ１３が設けられている。
【００１０】
図１中、Ｃは、券売機本体１を統括的に制御する制御器であって、図２には、その制御器Ｃのブロック図が示されていて、マイクロコンピュータによって形成される中央処理部（ＣＰＵ）２０を中心に構成されている。
【００１１】
ＣＰＵ２０は、第１メモリ２１に格納されている駅名，運賃等の券売機本体１の設置されている駅固有データ等のデータ及び第２メモリ２２に格納されている制御プログラムを用いて演算処理を行い、また、このＣＰＵ２０は、表示画面４の表示を駆動制御する可変表示部２３と、表示画面４の入力を駆動制御するタッチパネル入力部２４と、硬貨投入口６から挿入された硬貨を検銭処理する硬貨処理部２５と、紙幣挿入口７から挿入された紙幣を検銭処理する紙幣処理部２６と、乗車券及び着駅精算券の発券処理を行う発券部２７と、券売機本体１の裏面側に設けられ、券売機本体１を発券モード等の各種のモードに設定したり、あるいは券売機本体１の保守点検時に係員によって操作されるテンキー等の入力部と表示画面を有する係員操作部２８と、釣銭排出口１１に釣銭を排出する釣銭処理部２９と、着駅精算券釦５ａを含む選択釦部５からの入力信号を処理する選択釦処理部３０、案内すべき内容を合成してスピーカ１３から発生させる音声案内処理部３１と、カード挿入口８から挿入されたカードを処理するカード処理部３２とが接続されている。
【００１２】
次に、券売機本体１が無人駅に設置されているときの制御動作を図３のフローチャートを用いて説明する。先ず、券売機本体１が正常なときは（ステップ１００肯定。以下、ステップを「Ｓ」とする。）、すなわち、券売機本体１を構成する硬貨処理部２５等の各処理部（図２参照）に設けられている図示しない各種のセンサにより各処理部が正常と判定されているときは、硬貨、紙幣又はカードを用いた通常の発券処理が行われる。
【００１３】
ところで、各処理部のうち、発券部２７が正常でその他の処理部、例えば、硬貨処理部２５にジャムが発生してその硬貨処理部２５が硬貨の受入れ処理が不可能になったときは（Ｓ１０２否定）、故障発生の旨が図示しない通信回線を介して有人駅や管理センタ等に報知される。そして、この場合、券売機本体１は、発券機能が活きているので、所定の口座釦が押下されたときに乗車券の代りに着駅精算券が発行される（Ｓ１０４肯定、Ｓ１０６）。もちろん、この場合は、表示画面４又はスピーカ１３を介して口座釦を押下すれば着駅精算券が発行されることが案内される。また、この口座釦の押下の代りに、着駅精算券釦５ａを押下したときに着駅精算券が発行されるようにしてもよい。
【００１４】
券売機本体１の故障のうち、発券部２７が故障したときは（Ｓ１０２肯定）、他の処理部が正常であっても全部停止される（Ｓ１０８）。
【００１５】
上述の制御動作は、発券部２７以外に故障が発生したときに着駅精算券を発行するようにしたが、図４のフローチャートに示される制御動作では、正常な処理部の機能を可能な限り活用できるようにしている。なお、Ｓ２００、Ｓ２０２は、上記図３のＳ１００、Ｓ１０２とそれぞれ同一であり、Ｓ２０４はＳ１０８と同一であるので、これらについての説明は省略する。
【００１６】
故障箇所が硬貨処理部２５の場合は（Ｓ２０６）、表示画面４又はスピーカ１３を介して硬貨での乗車券購入ができない旨が案内される。この場合、硬貨しか持ち合わせていない利用者も存在するので、口座釦の押下により、又は着駅精算券釦５ａの押下により着駅精算券の発行が受けられることも案内される（Ｓ２０８）。
【００１７】
故障箇所が紙幣処理部２６の場合は（Ｓ２１０）、表示画面４又はスピーカ１３を介して紙幣での乗車券購入ができない旨が案内される。この場合、紙幣しか持ち合わせていない利用者も存在するので、口座釦の押下により、又は着駅精算券釦５ａの押下により着駅精算券の発行が受けられることも案内される（Ｓ２１２）。
【００１８】
故障箇所がカード処理部３２の場合は（Ｓ２１４）、表示画面４又はスピーカ１３を介してカードでの乗車券購入ができない旨が案内される。この場合、カードしか持ち合わせていない利用者も存在するので、口座釦の押下により、又は着駅精算券釦５ａの押下により着駅精算券の発行が受けられることも案内される（Ｓ２１６）。
【００１９】
図４のフローチャートでは省略されているが、発券部２７が正常で釣銭処理部２９の故障で釣銭処理ができないときは、釣銭の生じない金銭又はカードでの乗車券購入案内が行われる。
【００２０】
なお、上述の例では、着駅精算券の発行は、発券部２５以外の処理部の故障のときに行われるようにしたが、券売機本体１の各処理部が正常なときも、着駅精算券釦５ａの押下により着駅精算券が発行できるようにして利用者の利便性を高めることができる。
【００２１】
【発明の効果】
本発明の請求項１に記載の自動券売機は、券売機本体の故障を検出する故障検出手段と、検出された故障が発券部以外の故障で、所定の口座釦が押下されたときに、前記券売機本体の設置駅から入場可能で、着駅で精算原券とすることのできる着駅精算券を発行する着駅精算券発行手段とを有するので、券売機本体の設置駅から乗車できる着駅精算券を発行でき、券売機本体が無人駅や無人コーナに設置されていても利用者に不便をかけることがない。
本発明の請求項２に記載の自動券売機は、券売機本体の故障を検出する故障検出手段と、検出された故障が発券部以外の故障で、所定の着駅精算券釦が押下されたときに、前記券売機本体の設置駅から入場可能で、着駅で精算原券とすることのできる着駅精算券を発行する着駅精算券発行手段と有するので、利用者は、着駅精算券釦を押下して着駅精算券を入手することができる。
本発明の請求項３に記載の自動券売機は、券売機本体の故障を検出する故障検出手段と、検出された故障が硬貨処理部の故障のときに、硬貨以外の金銭で乗車券が購入できることを案内する案内手段とを有するので、利用者は、硬貨以外の金銭（カードも含む。）で乗車券を購入することができる。
本発明の請求項４に記載の自動券売機は、券売機本体の故障を検出する故障検出手段と、検出された故障が紙幣処理部の故障のときに、紙幣以外の金銭で乗車券が購入できることを案内する案内手段とを有するので、利用者は、紙幣以外の金銭（カードも含む。）で乗車券を購入することができる。
本発明の請求項５に記載の自動券売機は、券売機本体の故障を検出する故障検出手段と、検出された故障がカード処理部の故障のときに、カード以外の金銭で乗車券が購入できることを案内する案内手段とを有するので、利用者は、硬貨又は紙幣を用いて乗車券を購入することができる。
本発明の請求項６に記載の自動券売機は、券売機本体の故障を検出する故障検出手段と、検出された故障が釣銭処理部の故障のときに、釣銭を伴わない金銭で乗車券が購入できることを案内する案内手段とを有するので、利用者は、釣銭を伴わない金銭（カードも含む。）で乗車券を購入することができる。
本発明の請求項７に記載の自動券売機は、口座釦又は着駅精算券釦が押下されたときに、券売機本体の設置駅から入場可能で着駅で精算原券とすることのできる着駅精算券を発行する着駅精算券発行手段を設けたので、口座釦又は着駅精算券釦を押下して着駅精算券を入手することができる。
【図面の簡単な説明】
【図１】本発明の一実施の形態に係る券売機本体の正面図である。
【図２】制御器の概略構成を示すブロック図である。
【図３】制御動作を示すフローチャートである。
【図４】制御動作を示すフローチャートである。
【符号の説明】
１      自動券売機の本体（本体）
２      接客面
４      表示画面
５      選択釦部
６      硬貨投入口
７      紙幣挿入口
８      カード挿入口
９      金額表示部
１０      乗車券排出口
１１      釣銭排出口
１２      マイクロホン
１３      スピーカ
Ｃ      制御器
【図１】
2004199239.tif 000003
【図２】
2004199239.tif 000004
【図３】
2004199239.tif 000005
【図４】
2004199239.tif 000006